(57)【要約】【課題】携帯に負担にならないボタン開放式化粧品ケースを提供する。【解決手段】ボタン開放式化粧品ケースは、ボックス型のプレートの側面に開放通路が形成されているメインケース（１）と、前記メインケースの上部に種類の異なる化粧品を収納するための仕切り（２５）が設けられているメークアップケース（２１）と、前記メークアップケースの上部を覆い前記メインケースと結合するカバー（３０）と、内部には化粧道具を収納する収納空間を設けるために仕切り（２５）が形成され、スライダー（４１）が外部側面に取付けられた収納引き出し（４０）と、前記カバーの両側に形成された軸孔（１５）を貫通してカバーをメインケースにヒンジ結合させるヒンジ軸（５０）と、前記カバーが回転開放できるように前記メインケースの外側面に取り付けられ、前記カバーによって加圧されて弾性圧縮される弾性部材（５１）とからなる。【選択図】  図１
2004275715.tif 000002
【特許請求の範囲】
【請求項１】
下部は閉鎖されて上部が開放されるように四方を取り囲む一体型のプレートを含むケースであって、一側面部には開放通路が形成され、内部の前面には水平の直線案内溝が形成され、前記前面をなすプレートの上面には前記案内溝と垂直に接続されるようにロック溝が形成され、内部の後面をなすプレートの中央部には内側に凹んだ結合溝が形成され、前記側面部の両側には軸孔が形成され、四方を取り囲むプレートの上面には設置段が形成されているメインケースと、
前記メインケースの設置段の形状と一致するようにフランジが形成され、前記フランジと一体に形成されて種類の異なる化粧品を収納するために仕切りが形成されているメークアップケースと、
前記メインケースの軸孔にヒンジ結合されるために一致した軸孔が形成され、中央には両側に斜面をなす凹部が形成され、前記メインケースの結合溝に一致する結合板が設けられ、前記結合板と直角をなすカバー板が形成され、前記カバー板と直角を成して前記メインケースのロック溝にはまるように挿入され、下端に係止顎を有するストッパーが形成されているカバーと、
四角の引き出し形状であって、内部には化粧道具を収納する収納空間を設けるために仕切りが形成されており、前記メインケースの案内溝に挿入されて摺動し、前記カバーのストッパーの側面に引っかかる滑り止め段と前記ストッパーの係止顎が引っかかるカバー止め段とが形成されたスライダーが、外部側面に取付けられている収納引き出しと、
前記メインケースの側面部に形成された軸孔と前記カバーの結合板の両側に形成された軸孔とを貫通してカバーをメインケースにヒンジ結合させるヒンジ軸と、
前記メインケースの外側面に取付けられて前記ボタンを押すことにより前記カバーが回転開放できるように前記カバーの結合板の凹部によって加圧され弾性圧縮される弾性部材と、
前記収納引き出しが前記メインケースの外部に押し出されるように前記メインケースの内面と前記収納引き出しの側面との間で弾性力を提供するコイルスプリングと、からなることを特徴とするボタン開放式化粧品ケース。
【請求項２】
下部は閉鎖されて上部が開放されるように四方を取り囲む一体型のプレートを含むケースであって、一側面部には開放通路が形成され、内部の前面には水平の直線案内溝が形成され、内部の後面をなすプレートの中央部には内側に凹んだ結合溝が形成され、前記側面部の両側には軸孔が形成され、四方を取り囲むプレートの上面には設置段が形成されているメインケースと、
前記メインケースの設置段の形状と一致するようにフランジが形成され、前記フランジと一体に形成されて種類の異なる化粧品を収納するために仕切りが形成されているメークアップケースと、
四角の引き出し形状であって、内部には化粧道具を収納する収納空間を設けるために仕切りが形成されており、前記メインケースの案内溝に挿入されて摺動し、係止溝が形成されたスライダーが、外部側面に取付けられている収納引き出しと、
前記メインケースの軸孔にヒンジ結合されるために一致した軸孔が形成され、中央には両側に斜面をなす凹部が形成されて前記メインケースの結合溝に一致する結合板が設けられ、前記結合板と直角を成して周りの突出したカバー板が形成され、前記カバー板と直角をなして前記収納引き出しの係止溝の下端に固定されるための係止顎を有するストッパーが形成されているカバーと、
前記メインケースの中央部にヒンジ結合され、前面に突出部が形成され、後面には前記ストッパーの下端が嵌合して回転により前記ストッパーを押し上げ、前記収納引き出しの係止溝から分離するためのプッシュ溝が形成されているボタンパネルと、
前記メインケースの側面部に形成された軸孔と前記カバーの結合板の両側に形成された軸孔とを貫通してカバーをメインケースにヒンジ結合させるヒンジ軸と、
前記カバーが回転開放できるように前記メインケースの外側面に取付けられて前記カバーの結合板の凹部により加圧されて弾性圧縮される弾性部材と、
前記収納引き出しが前記メインケースの外部に押し出されるように前記メインケースの内面と前記収納引き出しの側面との間で弾性力を提供するコイルスプリングと、からなることを特徴とするボタン開放式化粧品ケース。
【請求項３】
下部は閉鎖されて上部は開放されるように四方を取り囲む一体型のプレートを含むケースであって、一側面部には開放通路が形成され、内部の後面をなすプレートの中央部には側面部に比べて内側に凹んだ結合溝が形成され、前記側面部の両側には軸孔が形成され、四方を取り囲むプレートの上面には設置段が形成されているメインケースと、
前記メインケースの設置段の形状と一致するようにフランジが形成され、前記フランジと一体に形成されて種類の異なる化粧品を収納するために仕切りが形成されているメークアップケースと、
前記メインケースの軸孔にヒンジ結合されるために一致した軸孔が形成され、中央には両側に斜面をなす凹部が形成されて前記メインケースの結合溝に一致する結合板が設けられ、前記結合板と直角をなして周りの突出したカバー板が形成され、前記カバー板と直角をなし係止顎を有するストッパーが形成されているカバーと、
プレートからなる引き出し形状であって、内部には化粧道具を収納する収納空間を設けるために仕切りが形成され、前記カバーのストッパーに形成された係止顎がはまって前記カバーが固定されるための固定溝が側面に形成されている収納引き出しと、
前記メインケースの中央にヒンジ結合され、前面に突出部が形成され、後面には前記ストッパーの下端が嵌合して回転により前記ストッパーを押し上げ、前記収納引き出しの固定溝から分離するためのプッシュ溝が形成されているボタンパネルと、
前記メインケースの側面部に形成された軸孔と前記カバーの結合板の両側に形成された軸孔とを貫通してカバーをメインケースにヒンジ結合させるヒンジ軸と、
前記収納引き出しが前記メインケースの外部に押し出されるように前記メインケースの内面と前記収納引き出しの側面との間で弾性力を提供するコイルスプリングと、からなることを特徴とするボタン開放式化粧品ケース。
【請求項４】
前記メインケースの下部には、内部の両側面に突起が形成され、外面には半円溝が形成されて前方に向かって開放された補助ケースが取付けられ、前記補助ケースには様々な化粧品およびブラシを収納できるように仕切りによって仕分けられた収納空間が形成され、手で引っぱり易くするために前面には開放段が形成され、前記補助ケースに形成された突起に引っかかるように突起が形成されたサブ収納引き出しが摺動するように挿入設置される請求項１〜３のいずれかに記載のボタン開放式化粧品ケース。
【請求項５】
前記メインケースの底面において下部と連通するように形成された貫通孔と、
前記メインケースの貫通孔に挿入されて下部に突出するように前記収納引き出しの底板に形成される係止パネルと、
前記メインケースの下面と結合し、内部に空間を形成して側面に突起が形成された開放通路を側面方向に形成する補助ケースと、
前記補助ケースによって形成された空間に収容され、開放通路に沿って摺動し、仕切りによって仕分けられて側面方向に並んで配列した収納空間およびブラシを収納するための収納空間が形成され、前記補助ケースの突起に引っかかるように半球形の突起が形成され、側面には突出したボタンが形成され、前面のプレートにはピックアップ溝が形成され、前記収納引き出しの係止パネルに支持されて前記空間内に拘束される補助収納引き出しと、
前記補助収納引き出しが前記収納引き出しと共に外部に押し出されるように前記補助収納引き出しの側面と結合されて弾性力を提供するコイルスプリングと、をさらに含むことを特徴とする請求項１〜３のいずれかに記載のボタン開放式化粧品ケース。
【請求項６】
前記収納引き出しは、前記収納空間の一部を開閉するために前記仕切りと側面プレートの上部とにヒンジ結合される収納カバーを有することを特徴とする請求項１〜３のいずれかに記載のボタン開放式化粧品ケース。
【請求項７】
前記収納引き出しの前記収納空間を形成する仕切りおよび側面プレートには、化粧道具を持ちやすくするためのピックアップ溝が形成され、前記収納空間には円形の物体が収容できるように円形溝が形成されることを特徴とする請求項１〜３のいずれかに記載のボタン開放式化粧品ケース。
【請求項８】
前記メインケースの開放通路の両側面には突起が形成され、前記収納引き出しの外部の両側面には前記メインケースに形成された突起に引っかかる半球形の突起が形成されることを特徴とする請求項１〜３のいずれかに記載のボタン開放式化粧品ケース。
【請求項９】
前記カバーのカバー板には鏡が設置されることを特徴とする請求項１〜３のいずれかに記載のボタン開放式化粧品ケース。
【発明の詳細な説明】
【０００１】
【発明の属する技術分野】
本発明はボタン開放式化粧品ケースに係り、頬または目もとを化粧する時に使用される様々な色調の化粧品およびブラシを一つのケースに収納できる、小さくて携帯や保管の便利なボタン開放式化粧品ケースに関する。
【０００２】
【従来の技術】
従来の一般的な化粧品ケースは、ケース本体と、該ケース本体にピボット可能に連結されて回転により開放および閉鎖されるカバーとを備え、内部には化粧品を収納できる空間が設けられていた。しかし、モデルや俳優などの専門職に従事している女性の場合は、様々な化粧をしたり化粧を落したりするため、または環境、雰囲気などによって化粧品の色を変えるために、一連の動作を繰り返して行うことから、様々な種類の化粧品ケースを携帯しなければならず、しかも化粧品によって携帯品が重くなりすぎるので、従来の一般的な化粧品ケースは収納空間において問題点があった。
【０００３】
引用文献１に記載の考案の主な特徴は、化粧品が収納される収納孔とブラシが収容される長溝の形成された収納板とを、収納された化粧品が混じらないように遮断板を覆うようにして折畳式の財布のように形成したものであり、様々な化粧品を携帯できるという特徴を有するが、化粧品を使用するためには毎回収納板を開閉するという不便さと、閉じるときは粉末の化粧品が外部に放出されてしまうという問題点と、財布のように外面に皮を使用することによって製造原価が上昇するという問題点とがあった。
【０００４】
また、引用文献２に記載の考案は、ケース本体、カバー、摺動可能なカバー、および引き出しを含んでなる。前記ケース本体にはスポンジパフが収容されるための溝と、圧縮されたパウダーが置かれ得る溝とが設けられており、かかるケース本体の溝をヒンジ結合したカバーとケース本体の側面にスライド結合した摺動可能なカバーが覆うようになり、前記引き出しはケース本体の下部の内側にスライド可能に結合されている。かかる引用文献２に記載の考案は従来の一般的な化粧品ケースを二つの部分に改良してスポンジパフの収納空間を更に設け、スライドされるパウダーのカバーを更に設け、ケース開放の利便性を考慮したものと考えられ、ケース下部の内側に摺動可能に結合された化粧品および化粧道具を収納するための空間を備えた引き出しは、様々な化粧品と化粧道具とを収納できると考えられる。しかし、引用文献２に記載の考案は二つの部分になっているカバーをいちいち開放しなければならず、多様な化粧のためには引き出しを取り出さなければならないという不便さがあり、また、引き出しとケースとに多様な化粧品と化粧道具を収納できるが、多様な状況に応じて様々な種類の化粧品を必要とする専門職に従事しているモデルや俳優などのような人々にとっては収納空間が不足になるという問題点があったと考えられる。
【０００５】
【特許文献１】
大韓民国実用新案登録第２１７６１２号明細書
【０００６】
【特許文献２】
大韓民国実用新案登録第１９４９０４号明細書
【０００７】
【発明が解決しようとする課題】
本発明はかかる従来の問題点を解決するために案出されたもので、その目的は、前方や側面に形成されたボタンを押すことによりカバーおよび収納引き出しが一遍に開放されて使用者がより便利に使用でき、収納引き出しを二重に構成して収納空間を最大限に確保し、収納引き出しとケースをコンパクトに結合構成して携帯に負担にならず気軽に持ち運ぶことができるボタン開放式化粧品ケースを提供することにある。
【０００８】
【課題を解決するための手段】
本発明に係るボタン開放式化粧品ケースの構成は、下部は閉鎖されて上部が開放されるように四方を取り囲む一体型のプレートを含むケースであって、一側面部には開放通路が形成され、内部の前面には水平の直線案内溝が形成され、前記前面をなすプレートの上面には前記案内溝と垂直に接続されるようにロック溝が形成され、内部の後面をなすプレートの中央部には内側に凹んだ結合溝が形成され、前記側面部の両側には軸孔が形成され、四方を取り囲むプレートの上面には設置段が形成されているメインケース；
前記メインケースの設置段の形状と一致するようにフランジが形成され、前記フランジと一体に形成されて種類の異なる化粧品を収納するために仕切りが形成されているメークアップケース；
前記メインケースの軸孔にヒンジ結合されるために一致した軸孔が形成され、中央には両側に斜面をなす凹部が形成され、前記メインケースの結合溝に一致する結合板が設けられ、前記結合板と直角をなすカバー板が形成され、前記カバー板と直角を成し前記メインケースのロック溝にはまるように挿入され、下端に係止顎を有するストッパーが形成されているカバー；
四角の引き出し形状であって、内部には化粧道具を収納する収納空間を設けるために仕切りが形成されており、前記メインケースの案内溝に挿入されて摺動し、前記カバーのストッパーの側面に引っかかる滑り止め段と前記ストッパーの係止顎が引っかかるカバー止め段とが形成されたスライダーが、外部側面に取付けられている収納引き出し；
前記メインケースの側面部に形成された軸孔と前記カバーの結合板の両側に形成された軸孔とを貫通してカバーをメインケースにヒンジ結合させるヒンジ軸；前記メインケースの外側面に取付けられて前記ボタンを押すことにより前記カバーが回転開放できるように前記カバーの結合板の凹部によって加圧され弾性圧縮される弾性部材；
前記収納引き出しが前記メインケースの外部に押し出されるように前記メインケースの内面と前記収納引き出しの側面との間で弾性力を提供するコイルスプリング；からなることを特徴とする。
【０００９】
本発明の他の構成は、下部は閉鎖されて上部が開放されるように四方を取り囲む一体型のプレートを含むケースであって、一側面部には開放通路が形成され、内部の前面には水平の直線案内溝が形成され、内部の後面をなすプレートの中央部には内側に凹んだ結合溝が形成され、前記側面部の両側には軸孔が形成され、四方を取り囲むプレートの上面には設置段が形成されているメインケース；
前記メインケースの設置段の形状と一致するようにフランジが形成され、前記フランジと一体に形成されて種類の異なる化粧品を収納するために仕切りが形成されているメークアップケース；
四角の引き出し形状であって、内部には化粧道具を収納する収納空間を設けるために仕切りが形成されており、前記メインケースの案内溝に挿入されて摺動し、係止溝が形成されたスライダーが、外部側面に取付けられている収納引き出し；
前記メインケースの軸孔にヒンジ結合されるために一致した軸孔が形成され、中央には両側に斜面をなす凹部が形成されて前記メインケースの結合溝に一致する結合板が設けられ、前記結合板と直角を成して周りの突出したカバー板が形成され、前記カバー板と直角をなして前記収納引き出しの係止溝の下端に固定されるための係止顎を有するストッパーが形成されているカバー；
前記メインケースの中央部にヒンジ結合され、前面に突出部が形成され、後面には前記ストッパーの下端が嵌合して回転により前記ストッパーを押し上げ、前記収納引き出しの係止溝から分離するためのプッシュ溝が形成されているボタンパネル；
前記メインケースの側面部に形成された軸孔と前記カバーの結合板の両側に形成された軸孔とを貫通してカバーをメインケースにヒンジ結合させるヒンジ軸；前記カバーが回転開放できるように前記メインケースの外側面に取付けられて前記カバーの結合板の凹部により加圧されて弾性圧縮される弾性部材；
前記収納引き出しが前記メインケースの外部に押し出されるように前記メインケースの内面と前記収納引き出しの側面との間で弾性力を提供するコイルスプリング；からなることを特徴とする。
【００１０】
本発明の更に他の構成は、下部は閉鎖されて上部は開放されるように四方を取り囲む一体型のプレートを含むケースであって、一側面部には開放通路が形成され、内部の後面をなすプレートの中央部には側面部に比べて内側に凹んだ結合溝が形成され、前記側面部の両側には軸孔が形成され、四方を取り囲むプレートの上面には設置段が形成されているメインケース；
前記メインケースの設置段の形状と一致するようにフランジが形成され、前記フランジと一体に形成されて種類の異なる化粧品を収納するために仕切りが形成されているメークアップケース；
前記メインケースの軸孔にヒンジ結合されるために一致した軸孔が形成され、中央には両側に斜面をなす凹部が形成されて前記メインケースの結合溝に一致する結合板が設けられ、前記結合板と直角をなして周りの突出したカバー板が形成され、前記カバー板と直角をなし係止顎を有するストッパーが形成されているカバー；
プレートからなる引き出し形状であって、内部には化粧道具を収納する収納空間を設けるために仕切りが形成され、前記カバーのストッパーに形成された係止顎がはまって前記カバーが固定されるための固定溝が側面部に形成された収納引き出し；
前記メインケースの中央にヒンジ結合され、前面に突出部が形成され、後面には前記ストッパーの下端が嵌合して回転により前記ストッパーを押し上げ、前記収納引き出しの固定溝から分離するためのプッシュ溝が形成されているボタンパネル；
前記メインケースの側面部に形成された軸孔と前記カバーの結合板の両側に形成された軸孔とを貫通してカバーをメインケースにヒンジ結合させるヒンジ軸；前記収納引き出しが前記メインケースの外部に押し出されるように前記メインケースの内面と前記収納引き出しの側面との間で弾性力を提供するコイルスプリング；からなることを特徴とする。
【００１１】
前述した本発明中のいずれかにおいて、前記メインケースの下部には内部の両側面に突起が形成され外面には半円溝が形成されて前方に向かって開放された補助ケースが取付けられ、前記補助ケースには様々な化粧品およびブラシを収納できるように仕切りにより仕分けられた収納空間が形成され、手で引っぱり易くするために前面には開放段が形成されて前記補助ケースに形成された突起に引っかかるように突起が形成されたサブ収納引き出しが摺動可能となるように挿入設置されることが好ましい。
【００１２】
前述した本発明中のいずれか一方は、更に、前記メインケースの底面において下部と連通するように形成された貫通孔；
前記メインケースの貫通孔に挿入されて下部に突出するように前記収納引き出しの底板に形成される係止パネル；
前記メインケースの下面と結合して内部に空間を形成して側面に突起が形成された開放通路を側面方向に形成する補助ケース；
前記補助ケースにより形成された空間に収容されて開放通路に沿って摺動し、仕切りによって仕分けられて側面方向に並んで配列した収納空間およびブラシを収納するための収納空間が形成され、前記補助ケースの突起に引っかかるように半球形の突起が形成され、側面には突出したボタンが形成され、前面のプレートにはピックアップ溝が形成され、前記収納引き出しの係止パネルに支持されて前記空間内に拘束される補助収納引き出し；
前記補助収納引き出しが前記収納引き出しと共に外部に押し出されるように前記補助収納引き出しの側面と結合して弾性力を提供するコイルスプリング；を含むことを特徴とする。
【００１３】
前述した本発明中のいずれか一方において、前記収納引き出しは前記収納空間の一部を開閉するために前記仕切りと側面プレートの上部にヒンジ結合される収納カバーを有することが好ましい。
【００１４】
前述した本発明中のいずれか一方において、前記収納引き出しの前記収納空間を形成する仕切りおよび側面プレートには化粧道具を持ちやすくするためのピックアップ溝が形成され、前記収納空間には円形の物体が収容できるように円形溝が形成されることが好ましい。
【００１５】
前述した本発明中のいずれか一方において、前記メインケースの開放通路の両側面には突起が形成され、前記収納引き出しの外部の両側面には前記メインケースに形成された突起に引っかかる半球形の突起が形成されることが好ましい。
【００１６】
前述した本発明中のいずれか一方において、前記カバーのカバー板には鏡が設置されることが好ましい。
【００１７】
【発明の実施の形態】
以下、本発明の構成および作用を添付した図面を参照しつつ詳しく説明する。
【００１８】
本発明は、メインケース１、５２、６０と、前記メインケース１の上部に取付けられるメークアップケース２１と、前記メークアップケース２１を覆うカバー３０と、前記メインケースから開閉される収納引き出し４０、５３、６１と、前記収納引き出し４０、５３、６１を外部に押し出すコイルスプリング８５と、ボタンパネル５９と、弾性部材５１とから構成される。
【００１９】
本発明の第１実施例の構成は図１および図２に詳しく示している。本発明の第１実施例に係る主要構成要素であるメインケース１は、下部が閉鎖されて上部が開放されるように四方を取り囲む一体型のプレートを含むケースであって、一側面部には収納引き出し４０の開閉のための開放通路５が形成され、内部の両側面には突起２０が形成されて内部の前面には水平の直線案内溝７が形成され、前記前面をなすプレートの上面には前記案内溝７と垂直に接続されるようにロック溝１０が形成され、内部の後面をなすプレートの中央部には側面部７２に比べ内側に凹んだ結合溝１２が形成され、前記側面部７２の両側には軸孔１５が形成され、四方を取り囲むプレートの上面には設置段１７が形成される。
【００２０】
前記メインケース１の上部に取付けられる前記メークアップケース２１は、前記メインケース１の設置段１７の形状と一致するようにフランジ２３が形成され、前記フランジ２３と一体に形成されて種類の異なる様々な化粧品１３０を収納するために仕切り２５が設けられている。前記仕切り２５の個数および形状は収納される化粧品の数や種類、およびブラシの大きさを考慮して様々な形に変形することが可能となる。
【００２１】
前記カバー３０は、前記メインケース１の軸孔１５にヒンジ結合されるために一致した軸孔１５が形成され、中央には両側に斜面３１をなす凹部が形成され、前記メインケース１の結合溝１２に一致する結合板３２が設けられ、前記結合板３２と直角をなして周りの突出したカバー板３５が形成され、前記カバー板３５と直角をなして前記メインケース１のロック溝１０にはまるように挿入され、下端には係止顎３７を有するストッパー３８が形成されてなる。
【００２２】
前記収納引き出し４０は、四角の引き出し形状であって、内部には化粧道具を収納する収納空間７５を設けるために仕切り２５が形成されており、前記メインケース１の案内溝７に挿入されて摺動し、前記カバー３０のストッパー３８の側面に引っかかる滑り止め段４２と前記ストッパー３８の係止顎３７が引っかかるカバー止め段４３とが形成されたスライダー４１が、外部側面に取付けられている。また、前記収納引き出し４０の両側面には前記メインケース１に引っかけられるための半円形の突起２０が形成されている。
【００２３】
また、前記収納引き出し４０、５３、６１の前記収納空間７５を形成する仕切り２５および側面プレートには、化粧道具を摘み易くするピックアップ溝１１１が形成され、前記収納空間７５には、化粧用ブラシ１２０の取っ手のような円形のものが収容できるように円形溝１２６が形成される。
【００２４】
前記コイルスプリング８５は、前記収納引き出し４０のボタン９５を押した時に、前記ストッパー３８の係止顎３７が前記収納引き出し４０のカバー止め段４３において係止が解除されると共に前記カバー３０の回転上昇により前記収納引き出し４０の滑り止め段４２がストッパー３８の側面において係止が解除されることにより、前記収納引き出し４０が前記メインケース１の外部に押し出されるように前記収納引き出し４０の側面部に取付けられるか、前記メインケース１の内部に設置される。
【００２５】
前記メインケース１には、側面部７２に形成された軸孔１５と結合し前記カバー３０の結合板３２の両側に形成された軸孔１５を貫通し、カバー３０をメインケース１にヒンジ結合させるヒンジ軸５０が設置される。
【００２６】
前記メインケース１の後面には、前記カバー３０のストッパー３８が前記収納引き出し４０のスライダー４１に引っかかってメインケース１の上部を覆っている状態で、前記ボタン９５を押すことにより前記カバー３０が回転開放できるように前記カバー３０の結合板３２の凹部によって加圧されて弾性圧縮される弾性部材５１が取付けられている。
【００２７】
図３および図４には本発明の第２実施例に係る構成が詳しく示されている。前記メインケース５２の形状は、前面にボタンパネル５９が結合するための溝が形成されていることが第１実施例と異なり、第１実施例と同様に前記メインケース５２にはメークアップケース２１が取付けられ、ヒンジ軸５０はカバー３０をメインケース５２にヒンジ結合させ、前記メインケース５２には弾性部材５１が取付けられ、コイルスプリング８５が設置されている。
【００２８】
前記メインケース５２の側面部７２に形成された開放通路５に沿ってスライドされる収納引き出し５３は四角の引き出し形状であって、内部には化粧道具を収納するために収納空間７５を設ける仕切り２５が形成されており、前記メインケース５２の案内溝７に挿入されて摺動し、係止溝５７が形成されて前記第１実施例のスライダー４１とは形状の異なるスライダー５５が、外部側面に取付けられている。
【００２９】
前記メインケース５２の上部の全体を覆い回転開閉されるカバー３０は、前記第１実施例のカバーと同じものであって、前記収納引き出し５３のスライダー５５に形成された係止溝５７の下端に固定されるための係止顎３７を有するストッパー３８が形成されている。
【００３０】
前記メインケース５２の中央にヒンジ結合するボタンパネル５９は、前面に突出部９１が形成され、後面には前記ストッパー３８の下端が嵌合して回転により前記ストッパー３８を押し上げ、前記収納引き出し４０の係止溝５７から前記係止顎３７を分離するためのプッシュ溝６２が形成されている。
【００３１】
図５および図６は本発明に係る第３実施例の構成を示している。メインケース６０の内部に案内溝７が形成されていないことが第２実施例のメインケース５２と異なっており、前記第２実施例と同様に前記メインケース５２にはメークアップケース２１が取付けられ、ヒンジ軸５０はカバー３０をメインケース５２にヒンジ結合し、前記メインケース５２には弾性部材５１が取付けられ、コイルスプリング８５が設置され、カバー３０がヒンジ結合し、前面にボタンパネル５９がヒンジ結合する。
【００３２】
前記メインケース６０の側面部に形成された開放通路５に沿ってスライドされる収納引き出し６１には前記カバー３０のストッパー３８に形成された係止顎３７がはまり、前記カバー３０が固定されるための固定溝８１が側面に形成されている。
【００３３】
図７および８に示す本発明の第４実施例は前述した各実施例のメインケース４０、５３、６１の下面にサブ収納引き出し１０３が摺動されるように補助ケース１１０を取付けたものである。前記補助ケース１１０は前方に向かって開放されており、外面には半円溝９０が形成されている。前記サブ収納引き出し１０３は様々な化粧品１３０を収納できるように仕切り２５によって仕分けられて一列に配列した収納空間７５およびブラシ１２０を収納するための収納空間７５が形成され、前記補助ケース１１０の半円溝９０に指を密着して外部に向かって引っぱり易くするために前面には開放段９７が形成されている。また、前記サブ収納引き出し１０３の外部の両側面と補助ケースの内部の両側面とには、前記収納引き出し４０、５３、６１に突起２０が形成されてメインケース４０、５３、６１の突起に引っかかる場合と同じく突起が形成されている。
【００３４】
図９および１０に示す本発明の第５実施例は、前述の各実施例のメインケース４０、５３、６１の下面に補助収納引き出し１１５が側面に摺動されるように補助ケース１１０を取付け、前記収納引き出し４０、５３、６１と同様にカバー３０によって固定されるようにしたものである。
【００３５】
かかる第５実施例のメインケース４０、５３、６１には下部と連通するように底板に貫通孔１０６が形成され、前記メインケース１の貫通孔１０６に挿入されて下部に突出するように前記収納引き出し４０、５３、６１の底板１０７には係止パネル１０８が形成される。
【００３６】
前記補助ケース１１０は、前記メインケース１の下面と結合し、内部に空間を形成して側面に突起２０の形成された開放通路５を側面方向に形成する。
【００３７】
前記補助収納引き出し１１５は、前記補助ケース１１０によって形成された空間９６に収容されて開放通路５に沿って摺動し、仕切り２５によって仕分けられて側面方向に並んで配列した収納空間７５およびブラシ１２０を収納するための収納空間７５が形成され、前記補助ケース１１０の突起２０に引っかかるように半球形の突起２０が形成され、側面には突出したボタン９５が形成され、前面のプレートにはピックアップ溝１１１が形成され、前記収納引き出し４０、５３、６１の係止パネル１０８に支持されて前記空間内に拘束される。
【００３８】
また、前記コイルスプリング８５は、前記補助収納引き出し１１５に弾性力を提供できるように補助ケース１１０に設置される。一方、前記カバーのカバー板には鏡（図示せず）が設置されることが好ましい。
【００３９】
以下、本発明に係る各実施例のカバー３０と、収納引き出し４０、５３、６１とがメインケース１、５２、６０において解除および係止される作用を説明する。
【００４０】
本発明の第１実施例において、前記収納引き出し４０がメインケース１の外部にスライドされる過程は、前記収納引き出し４０のボタン９５を押した時に前記ストッパー３８の係止顎３７が前記収納引き出し４０のカバー止め段４３において係止が解除されると共に前記カバー３０が前記メインケース１の外側面に取付けられた弾性部材５１によって回転上昇し、前記収納引き出し４０の滑り止め段４２がストッパー３８の側面部において係止が解除されることにより前記収納引き出し４０が側面部に設置されたコイルスプリング８５によって前記メインケース１の外部に押し出されるようになる。結局、カバー３０は回転してメークアップケース２１を露出させ、収納引き出し４０は側面部方向に露出し、収容された化粧用ブラシ１２０およびペンシルを露出させる。この状態で収納引き出し４０に収容された化粧用ブラシ１２０およびペンシルを用いてメークアップケース２１に収容された化粧品１３０を使用することができる。化粧が終わった後は収納引き出し４０をメインケース１の内部に押し入れてカバー３０を閉じると、カバー３０のストッパー３８に形成された係止顎３７が収納引き出し４０のスライダー４１に形成されたカバー止め段４３に引っかかると同時にストッパー３８の側面が滑り止め段４２に引っかかるようになるので、前記カバー３０と収納引き出し４０とは同時にメインケース１に固定される。
【００４１】
本発明の第２実施例は前記第１実施例とは異なり、収納引き出し５３がメインケース５２の開放通路５に完全に挿入された状態で収納引き出し５３のスライダー５５に形成された係止溝５７の下面にカバー３０のストッパー３８に形成された係止顎３７が引っかかり、カバー３０がメインケース１の上部を覆った状態となって、この時、メインケース１の前面にヒンジ結合したボタンパネル５９の突出部９１を押すとボタンパネル５９は回転し、ボタンパネル５９に形成されたプッシュ溝６２は前記ストッパー３８の係止顎３７をスライダー５５の係止溝５７の下部から押し上げ、前記カバー３０と収納引き出し５３との相互固定状態が解除される。カバー３０は弾性部材５１によって回転開放され、収納引き出し５３はコイルスプリング８５によってメインケース５２の外側に露出する。
【００４２】
本発明の第３実施例は、収納引き出し６１の固定溝８１に前記カバー３０の係止顎３７が固定され、前記ボタンパネル５９を押すことによりカバー３０が開けられ、収納引き出し６１が外側に突出するようになる。
【００４３】
本発明の第４実施例は、前記の各実施例のメインケース１、５２、６０の下部に空間９６を形成して前記空間９６内から出し入れされるサブ収納引き出し１０３が設けられたものである。かかるサブ収納引き出し１０３によってより多様な化粧品１３０を下部に収容することができ、必要に応じて取り出し、化粧道具を用いてより多様に化粧することができる。
【００４４】
本発明の第５実施例は、前記の各実施例のメインケース１、５２、６０の下部に設置されたコイルスプリング８５によって前記収納引き出し４０、５３、６１と同時に外部に露出する補助収納引き出し１１５を設けたものである。補助収納引き出し１１５がメインケース１、５２、６０の内部に挿入されて前記カバー３０を固定させる方法は、補助収納引き出し１１５の外側の端部が収納引き出し４０、５３、６１を押し出しメインケース１の内部に挿入された時に前記の各実施例で記述されたカバー３０が収納引き出し４０、５３、６１に固定される手段を前記補助収納引き出し１１５にそのまま適用すると、カバー３０はメインケース１、５２、６０に固定される。このような固定手段を適用すれば、前記メインケース１、５２、６０の貫通孔１０６に挿入された収納引き出し４０、５３、６１の係止パネル１０８が補助収納引き出し１１５の内側端部を支持するようになるので、前記補助収納引き出し１１５は前記収納引き出し４０、５３、６１を押しながら内部に入りメインケース１、５２、６０の内部に固定される。逆に、補助収納引き出し１１５のボタン９５や、メインケース１、５２、６０にヒンジ結合したボタンパネル５９を押すと前記の各実施例でカバー３０の固定が解除される手段によってカバー３０は弾性部材５１の弾性力により回転され、前記補助収納引き出し１１５はコイルスプリング８５によって前記収納引き出し４０、５３、６１の係止パネル１０８を外側の方向に押し出しながら露出する。結局、カバー３０はメークアップケース２１を露出させ、収納引き出し４０、５３、６１と補助収納引き出し１１５とは同時に外部に露出する。
【００４５】
したがって、本発明によれば、前方や側面部に形成されたボタンを押すとカバーおよび収納引き出しが一遍に開放されて使用者がより便利に使用でき、収納引き出しを二重に構成して様々な色調の化粧品および化粧道具のための収納空間を充分に確保し、収納引き出しとケースとをコンパクトに結合構成して携帯に負担にならず気軽に持ち運ぶことができるという效果を得ることができる。
【００４６】
以上、本発明は上述した具体例を中心に説明したが、本発明の技術思想範囲から外れない限度内で多様な変形及び修正が可能なのは当該分野で通常の知識を有する者には明らかなことであり、このような変形及び修正が特許請求の範囲に属することはいうまでもない。
【図面の簡単な説明】
【図１】本発明に係るボタン開放式化粧品ケースの第１実施例の分解斜視図である。
【図２】本発明に係る第１実施例の横断面図である。
【図３】本発明に係るボタン開放式化粧品ケースの第２実施例の分解斜視図である。
【図４】本発明に係る第２実施例の横断面図である。
【図５】本発明に係るボタン開放式化粧品ケースの第３実施例の分解斜視図である。
【図６】本発明に係る第３実施例の横断面図である。
【図７】本発明に係るボタン開放式化粧品ケースの第４実施例の分解斜視図である。
【図８】本発明に係る第４実施例の横断面図である。
【図９】本発明に係るボタン開放式化粧品ケースの第５実施例の分解斜視図である。
【図１０】本発明に係る第５実施例の縦断面図である。
【符号の説明】
１、５２、６０…メインケース
５…開放通路
７…案内溝
１０…ロック溝
１２…結合溝
１５…軸孔
１７…設置段
２０…突起
２１…メークアップケース
２３…フランジ
２５…仕切り
３０…カバー
３１…斜面
３２…結合板
３５…カバー板
３７…係止顎
３８…ストッパー
３９…ストッパー側面部
４０、５３、６１…収納引き出し
４１、５５…スライダー
４２…滑り止め段
４３…カバー止め段
４５…収納カバー
５０…ヒンジ軸
５１…弾性部材
５７…係止溝
５９…ボタンパネル
６２…プッシュ溝
７２…側面部
７５…収納空間
８１…固定溝
８５…コイルスプリング
９０…半円溝
９１…突出部
９５…ボタン
９７…開放段
１０３…サブ収納引き出し
１０６…貫通孔
１０７…底板
１０８…係止パネル
１１０…補助ケース
１１１…ピックアップ溝
１１５…補助収納引き出し
１２０…ブラシ
１２６…円形溝
１３０…化粧品
【図１】
2004275715.tif 000003
【図２】
2004275715.tif 000004
【図３】
2004275715.tif 000005
【図４】
2004275715.tif 000006
【図５】
2004275715.tif 000007
【図６】
2004275715.tif 000008
【図７】
2004275715.tif 000009
【図８】
2004275715.tif 000010
【図９】
2004275715.tif 000011
【図１０】
2004275715.tif 000012